(57)【要約】      （修正有）【課題】専用のモータポンプ支持部品を用いることなく、装置本体の内壁に一体に形成されたリブにモータポンプを直接支持することができ、装置本体の小型化を実現することができるアロマディフューザーを提供する。【解決手段】モータポンプ２６を内装したケース状の装置本体１１と、装置本体１１に着脱可能に装着されてモータポンプ２６に接続された容器本体１２と、容器本体１２の上端に着脱可能なノズルとを備え、モータポンプ２６の駆動源にＰＷＭブラシレスモータを用いると共に、装置本体１１の内壁にモータポンプ２６を直接支持するリブ２０ａ，２１ａを一体に形成した。【選択図】図２
0003158934.tif 000002
【実用新案登録請求の範囲】
【請求項１】
モータポンプを内装したケース状の装置本体と、装置本体に着脱可能に装着されてモータポンプに接続された容器本体と、容器本体の上端に着脱可能なノズルと、を備えたアロマディフューザーにおいて、前記モータポンプの駆動源にＰＷＭブラシレスモータを用いると共に、前記装置本体の内壁に前記モータポンプを直接支持するリブを一体に形成したことを特徴とするアロマディフューザー。
【考案の詳細な説明】
【技術分野】
【０００１】
本考案は、空気の圧力と毛細管現象とによって粒子状（ミスト状）としたエッセンシャルオイル（精油）を広範囲に噴霧するアロマディフューザーに関する。
【背景技術】
【０００２】
近年から、アロマテラピーの一つとして、空気の圧力と毛細管現象とによって粒子状（ミスト状）としたエッセンシャルオイル（精油）を広範囲に噴霧するアロマディフューザーが各種販売されている（例えば、非特許文献１，２参照）。
【０００３】
このアロマディフューザーは、モータポンプを内装したケース状の装置本体と、装置本体に着脱可能に装着されてモータポンプに接続された装飾ガラス容器本体と、ガラス容器本体の上端に着脱可能なノズルと、を備え、比較的広い空間内（例えば、和室で６〜３０畳）に拡散させることができ、即効性を有するばかりでなく、エッセンシャルオイル固有の香りを長時間楽しむことができることから、嗜好品としての役割のみならず、消臭剤としての役割も兼ねることができる。
【先行技術文献】
【特許文献】
【０００４】
【非特許文献１】http://aromacure.net/diffuser-mini.htm
【非特許文献２】http://nagar9244.xsrv.jp/zaka/air-aroma/
【考案の概要】
【考案が解決しようとする課題】
【０００５】
しかしながら、上述したアロマディフューザーにあっては、水槽ポンプ用のモータポンプやダイヤフラムポンプを流用しているため、その作動音や振動の発生を抑制するためには、モータポンプを支持するための部品が必要となってしまい、モータポンプそのものの大型化に加え、さらなる装置本体の大型化の原因となっていた。
【０００６】
そこで、本考案は、装置本体の小型化に貢献することができるアロマディフューザーを提供することを目的とする。
【課題を解決するための手段】
【０００７】
本考案は、モータポンプを内装したケース状の装置本体と、装置本体に着脱可能に装着されてモータポンプに接続された容器本体と、容器本体の上端に着脱可能なノズルと、を備えたアロマディフューザーにおいて、前記モータポンプの駆動源にＰＷＭブラシレスモータを用いると共に、前記装置本体の内壁に前記モータポンプを直接支持するリブを一体に形成したことを特徴とする。
【考案の効果】
【０００８】
本考案のアロマディフューザーは、モータポンプの駆動源に小型で振動が小さく且つ長寿命なＰＷＭブラシレスモータを用いることにより、専用のモータポンプ支持部品を用いることなく、装置本体の内壁に一体に形成されたリブにモータポンプを直接支持することができ、装置本体の小型化を実現することができる。
【図面の簡単な説明】
【０００９】
【図１】本考案の一実施形態に係るアロマディフューザーの外観斜視図である。
【図２】本考案の一実施形態に係るアロマディフューザーの断面図である。
【図３】本考案の一実施形態に係るアロマディフューザーの内部構造を示す平面図である。
【考案を実施するための形態】
【００１０】
次に、本考案の一実施形態に係るアロマディフューザーについて、図１乃至図３を参照して説明する。尚、以下に示す実施例は本考案のアロマディフューザーにおける好適な具体例であり、技術的に好ましい種々の限定を付している場合もあるが、本考案の技術範囲は、特に本考案を限定する記載がない限り、これらの態様に限定されるものではない。
【００１１】
図１において、アロマディフューザー１０は、装置本体１１と、装置本体１１に着脱可能なガラス容器本体１２と、ガラス容器本体１２の上端に着脱可能に設けられてミスト状エッセンシャルオイル（精油）を噴霧するために屈曲したノズル１３を形成したガラスキャップ１４と、を備えている。
【００１２】
装置本体１１は、その上面には、ガラス容器本体１２の差込口としてゴム等のパッキン１５と、ミスト状エッセンシャルオイル（精油）の噴霧をＯＮ−ＯＦＦ切り替えるスイッチ１６と、が設けられている。また、装置本体１１の側面には、電源供給用の配線コード１７の一端に設けられたプラグ１８が接続されると共に、ミスト状エッセンシャルオイル（精油）の噴霧量を調整するボリュームスイッチ１９が設けられている。また、装置本体１１は、下ケース２０と上ケース２１との合わせ構造により、図２に示すように、内部に収納空間２２を形成している。
【００１３】
収納空間２２には、図３に示すように、プラグ１８に接続されるジャック２３と、ボリュームスイッチ１９のボリューム接点２４とが、ホルダー２５を介して下ケース２０に固定されている。また、収納空間２２には、モータポンプ２６と、電源回路ユニット２７とが設けられている。
【００１４】
このモータポンプ２６の駆動源には、ＰＷＭブラシレスモータ（例えば、応研精工株式会社製  Ｐ５４Ｅ−９００５Ｒ）が適用されており、モータポンプ２６の小型化と共に、耐久性の向上、低音性・低振動性が確保されている。本実施の形態においては、モータポンプ２６の全体として、最大直径２７ｍｍ、長さ５９．５ｍｍである。また、モータポンプ２６は下ケース２０と上ケース２１とに形成されたリブ２０ａ，２１ａに上下方向から挟持されているため、専用のホルダーを用いること無く、収納空間内にコンパクトに収納されている。尚、モータポンプ２６とリブ２０ａ，２１ａとの間には、衝撃吸収用のクッション材２８を介装するのが望ましい。さらに、モータポンプ２６には、エアダクト２９の一端が接続されており、そのエアダクト２９の他端はガラス容器１２の下端に接続されている。この際、エアダクト２９の他端の下方には、ＬＥＤ３０が設けられており、そのモータポンプ２６の駆動時におけるガラス容器１２の装飾性が向上されている。
【００１５】
下ケース２０と上ケース２１とは、ＡＢＳ等の樹脂から形成されており、例えば、下ケース２０は上方に開放する有底の皿状に形成されている。尚、下ケース２０と上ケース２１とは、その色や形状等を変えることにより、商品のグレード等に対応することができる。
【００１６】
下ケース２０には、その底面（例えば、４箇所）にゴム等の弾性体からなるクッション脚３１が両面テープ等によって貼り付けられている。尚、クッション脚３１は、下ケース２０と上ケース２１とに設けられて上下ケース２０，２１をねじ固定する固定脚２０ｂ，２１ｂと同軸上に配置することにより、そのねじ穴を塞ぐ機能を兼用している。
【００１７】
上ケース２１には、電源回路ユニット２７の四角付近を固定するリブ２１ｃが一体に形成されている。
【００１８】
ガラス容器本体１２は、その形状は大きさ等は任意であり、本実施の形態においては下端と上端付近とが絞り込まれた細口に形成され、上端を拡開させることによりガラスキャップ１４を支持する構成を採用している。また、ガラス容器本体１２の下端には、モータポンプ２６から送り込まれたエアーがエアダクト２９を介して供給されるようにエア噴出ノズル１２ａが設けられ、そのエア噴出ノズル１２ａの上端には精油導入ノズル１２ｂの上端が対向配置されている。さらに、ガラス容器本体１２の表面には、切子状の模様を形成することにより、透明性を確保しつつその内部に供給された精油や各ノズル１２ａ，１２ｂが外部から見え難くなるように装飾性が確保されている。
【００１９】
精油は、各ノズル１２ａ，１２ｂの上端よりも低い位置にまで供給され、精油導入ノズル１２ｂの毛細管現象を利用して上昇した精油をエア噴出ノズル１２ａから噴出したエアでガラス容器１２内にミストを発生させ、その一部がガラスキャップ１４のノズル１３からミストが拡散される。
【００２０】
スイッチ１６は、本実施の形態では、単なるＯＮ−ＯＦＦの切り替えだけでなく、例えば、連続駆動モードの他、２０秒間ＯＮした後に３０秒間ＯＦＦするといった間欠駆動モードとの切り替えも可能となっている。尚、各モードとも、所定時間駆動した後に、自動停止するタイマー機能を具備するのが好ましい。この際、タイマー機能としては、連続駆動の場合には２時間、間欠駆動の場合には３時間といったように、噴出する精油量がトータル的に同じ、または、間欠駆動のほうが少ない、となるように各種設定は任意とすることができる。また、ボリュームスイッチ１９のボリューム調整により、室内広さ等に応じた噴出範囲（パワー）の設定が可能であるため、スイッチ１６のモード選択とボリュームスイッチ１９のボリューム調整とで、来客時等の急速芳香・消臭と就寝時等のリラックス芳香・消臭といった利用形態の汎用性が向上されている。
【００２１】
このように、本実施の形態においては、モータポンプ２６にＰＷＭブラシレスモータを用いたことにより、例えば、１日４時間（連続モードを２回）の使用であっても、３年間以上、モータパワーの損失を発生し難くすることができ、耐久性が向上されている。
【００２２】
また、その駆動時における駆動音並びに振動の発生が小さいことから、ホルダー等を用いることなく、リブ２０ａ，２１ａのみでモータポンプ２６を支持することができ、装置本体１１の小型化に貢献することができる。
【符号の説明】
【００２３】
１０…アロマディフューザー
１１…装置本体
１２…ガラス容器本体
１３…ノズル
１４…ガラスキャップ
２０…下ケース
２０ａ…リブ
２０ｂ…固定脚
２１…上ケース
２１ａ…リブ
２１ｂ…固定脚
２１ｃ…リブ
２２…収納空間
２６…モータポンプ
２７…電源回路ユニット
２８…クッション材
【図１】
0003158934.tif 000003
【図２】
0003158934.tif 000004
【図３】
0003158934.tif 000005